(57)【特許請求の範囲】
【請求項１】
移動局と、無線アクセスネットワーク装置とを含む移動通信システムにおける移動局であって：
無線アクセスネットワーク装置により通知されるべき移動局を識別するための識別子を保持する識別子保持手段；
アイドル状態から通信を開始する際に、前記識別子保持手段に保持されるべき識別子の中から1つの識別子を選択する識別子選択手段：
前記識別子選択手段により選択された第１の識別子を含む接続要求信号を作成する接続要求信号生成手段：
前記無線アクセスネットワーク装置に、前記接続要求信号生成手段により作成されるべき接続要求信号を送信する送信手段；
を備えることを特徴とする移動局。
【請求項２】
請求項１に記載の移動局において：
送信要求するパケットのサイズを算出する送信パケットサイズ算出手段：
を備え、
前記接続要求信号生成手段は、前記送信パケットサイズ算出手段により算出されたパケットサイズを示す情報を含む接続要求信号を作成することを特徴とする移動局。
【請求項３】
移動局と、無線アクセスネットワーク装置とを含む移動通信システムにおける無線アクセスネットワーク装置であって：
移動局からの接続要求を受信する受信手段；
前記受信手段により受信された接続要求に基づいて、前記移動局に対して、無線アクセスネットワークシステムにより付与されるべき第２の識別子と、前記移動局により使用されることが許可された上り無線リソースを示す情報とを含む応答信号を作成する応答信号生成手段；
前記応答信号生成手段により作成された応答信号を、前記接続要求を送信した移動局に送信する送信手段；
を備え、
前記受信手段により受信されるべき接続要求には、前記移動局が、アイドル状態から通信を開始する際に選択されるべき該移動局を識別するための第１の識別子が含まれることを特徴とする無線アクセスネットワーク装置。
【請求項４】
請求項３に記載の無線アクセスネットワーク装置において：
前記送信手段は、前記無線アクセスネットワークシステムにより付与されるべき第２の識別子を下り共有データチャネルにより送信し、
前記無線アクセスネットワークシステムにより割り当てられるべき上りリソースを下り共有シグナリング制御チャネルにより送信し、
前記移動局が前記接続要求信号を送信する際に選択されるべき第１の識別子を含む識別子を下り共有シグナリング制御チャネルにより送信することを特徴とする無線アクセスネットワーク装置。
【請求項５】
請求項３に記載の無線アクセスネットワーク装置において：
前記送信手段は、前記無線アクセスネットワークシステムにより付与されるべき第２の識別子と、前記無線ネットワークシステムにより割り当てられるべき上り無線リソースとを、同一のパケットで送信することを特徴とする無線アクセスネットワーク装置。
【請求項６】
移動局と、無線アクセスネットワーク装置とを含む移動通信システムであって：
前記移動局は、
無線アクセスネットワーク装置により通知されるべき移動局を識別するための識別子を保持する識別子保持手段；
アイドル状態から通信を開始する際に、前記識別子保持手段に保持されるべき識別子の中から1つの識別子を選択する識別子選択手段：
前記識別子選択手段により選択された第１の識別子を含む接続要求信号を作成する接続要求信号生成手段：
前記無線アクセスネットワーク装置に、前記接続要求信号生成手段により作成されるべき接続要求信号を送信する送信手段；
を備え、
前記無線アクセスネットワーク装置は、
移動局からの接続要求を受信する受信手段；
前記受信手段により受信された接続要求に基づいて、前記移動局に対して、無線アクセスネットワークシステムにより付与されるべき第２の識別子と、前記移動局により使用されることが許可された上り無線リソースを示す情報を含む応答信号を作成する応答信号生成手段；
前記応答信号生成手段により作成された応答信号を、前記接続要求を送信した移動局に送信する送信手段；
を備えることを特徴とする移動通信システム。
【請求項７】
移動局と、無線アクセスネットワーク装置とを含む移動通信システムにおけるリソース要求方法あって：
前記移動局は、
アイドル状態から通信を開始する際に、無線アクセスネットワーク装置により通知されるべき移動局を識別するための識別子の中から1つの識別子を選択する識別子選択ステップ：
前記識別子選択ステップにより選択された第１の識別子を含む接続要求信号を作成する接続要求信号生成ステップ：
前記無線アクセスネットワーク装置に、前記接続要求信号生成ステップにより作成されるべき接続要求信号を送信する送信ステップ；
を有し、
前記無線アクセスネットワーク装置は、
移動局からの接続要求を受信する受信ステップ；
前記受信ステップにより受信された接続要求に基づいて、前記移動局に対して、無線アクセスネットワークシステムにより付与されるべき第２の識別子と、前記移動局により使用されることが許可された上り無線リソースを示す情報とを含む応答信号を作成する応答信号生成ステップ；
前記応答信号生成ステップにより作成された応答信号を、前記接続要求を送信した移動局に送信する送信ステップ；
を有することを特徴とするリソース要求方法。
【発明の詳細な説明】
【技術分野】
【０００１】
本発明は、移動局、無線アクセスネットワーク装置およびリソース要求方法に関する。
【背景技術】
【０００２】
ＩＭＴ２０００通信システムのような移動通信システムでは、アイドル状態にある移動局が移動通信システムにアクセスする際、図１に示すような動作を行う（例えば、非特許文献１および２参照）。
【０００３】
移動局は、基地局装置に対してＰｒｅａｍｂｌｅの送信を行い、接続要求信号の送信を行う。
【０００４】
Ｐｒｅａｍｂｌｅを受信した無線基地局装置は、移動局からの送信要求を許可する場合は、ＡＩＣＨ（ａｃｑｕｉｓｉｔｉｏｎ  Ｉｎｄｉｃａｔｏｒ  Ｃｈａｎｎｅｌ）で送信許可通知（Ａｃｋｎｏｗｌｅｄｇｅｍｅｎｔ）を返信する。
【０００５】
ＡＩＣＨで送信許可通知を受信した移動局は、無線ネットワーク制御装置に対して、接続要求信号（ＲＲＣ  Ｃｏｎｎｅｃｔｉｏｎ  Ｒｅｑｕｅｓｔ）を送信する。
【０００６】
接続要求信号を受信した無線ネットワーク制御装置は、当該移動局に対し、無線リソースの割り当て、移動局識別子を付与する接続設定信号（ＲＲＣ  Ｃｏｎｎｅｃｔｉｏｎ  Ｓｅｔｕｐ）を送信する。
【非特許文献１】３ＧＰＰ  ＴＳ２５．３３１  ８．１．３
【非特許文献２】３ＧＰＰ  ＴＳ２５．２１１  ６
【発明の開示】
【発明が解決しようとする課題】
【０００７】
しかしながら、上述した背景技術には以下の問題がある。
【０００８】
このような手法では、アイドル状態にある移動局と移動通信システム間で交換するメッセージ数が多く、移動局が無線アクセスネットワーク装置に接続を要求してから通信が開始されるまでの遅延の短縮が困難である。
【０００９】
そこで、本発明の目的は、アイドル状態にある移動局が無線アクセスネットワーク装置に接続を要求してから通信を開始するまでの遅延の短縮を可能にすることができる移動局、無線アクセスネットワーク装置およびリソース要求方法を提供することにある。
【課題を解決するための手段】
【００１０】
上記課題を解決するため、本発明の移動局は、移動局と、無線アクセスネットワーク装置とを含む移動通信システムにおける移動局であって、無線アクセスネットワーク装置により通知されるべき移動局を識別するための識別子を保持する識別子保持手段と、アイドル状態から通信を開始する際に、前記識別子保持手段に保持されるべき識別子の中から1つの識別子を選択する識別子選択手段と、前記識別子選択手段により選択された第１の識別子を含む接続要求信号を作成する接続要求信号生成手段と、前記無線アクセスネットワーク装置に、前記接続要求信号生成手段により作成されるべき接続要求信号を送信する送信手段とを備える。
【００１１】
このように構成することにより、接続要求信号を受信した無線アクセスネットワーク装置が、接続要求信号に格納された識別子で、移動局を識別することができる。
【００１２】
また、本発明の無線アクセスネットワーク装置は、移動局と、無線アクセスネットワーク装置とを含む移動通信システムにおける無線アクセスネットワーク装置であって、移動局からの接続要求を受信する受信手段と、前記受信手段により受信された接続要求に基づいて、前記移動局に対して、無線アクセスネットワークシステムにより付与されるべき第２の識別子と、前記移動局により使用されることが許可された上り無線リソースを示す情報とを含む応答信号を作成する応答信号生成手段と、前記応答信号生成手段により作成された応答信号を、前記接続要求を送信した移動局に送信する送信手段とを備え、前記受信手段により受信されるべき接続要求には、前記移動局が、アイドル状態から通信を開始する際に選択されるべき該移動局を識別するための第１の識別子が含まれる。
【００１３】
このように構成することにより、移動局の接続要求に対して、１回の応答信号で、上り無線リソースおよび移動局固有の移動局識別子の付与が可能となる。
【００１４】
また、本発明の移動通信システムは、移動局と、無線アクセスネットワーク装置とを含む移動通信システムであって、前記移動局は、無線アクセスネットワーク装置により通知されるべき移動局を識別するための識別子を保持する識別子保持手段と、アイドル状態から通信を開始する際に、前記識別子保持手段に保持されるべき識別子の中から1つの識別子を選択する識別子選択手段と、前記識別子選択手段により選択された第１の識別子を含む接続要求信号を作成する接続要求信号生成手段と、前記無線アクセスネットワーク装置に、前記接続要求信号生成手段により作成されるべき接続要求信号を送信する送信手段とを備え、前記無線アクセスネットワーク装置は、移動局からの接続要求を受信する受信手段と、前記受信手段により受信された接続要求に基づいて、前記移動局に対して、無線アクセスネットワークシステムにより付与されるべき第２の識別子と、前記移動局により使用されることが許可された上り無線リソースを示す情報を含む応答信号を作成する応答信号生成手段と、前記応答信号生成手段により作成された応答信号を、前記接続要求を送信した移動局に送信する送信手段とを備える。
【００１５】
このように構成することにより、任意の移動局からの接続要求信号を受信した無線アクセスネットワーク装置が、接続要求信号に格納された識別子で、移動局を識別することができ、無線アクセスネットワーク装置は、移動局の接続要求に対して、１回の応答信号で、上り無線リソース、および移動局固有の移動局識別子の付与が可能となる。
【００１６】
また、本発明のリソース要求方法は、移動局と、無線アクセスネットワーク装置とを含む移動通信システムにおけるリソース要求方法あって、前記移動局は、アイドル状態から通信を開始する際に、無線アクセスネットワーク装置により通知されるべき移動局を識別するための識別子の中から1つの識別子を選択する識別子選択ステップと、前記識別子選択ステップにより選択された第１の識別子を含む接続要求信号を作成する接続要求信号生成ステップと、前記無線アクセスネットワーク装置に、前記接続要求信号生成ステップにより作成されるべき接続要求信号を送信する送信ステップとを有し、前記無線アクセスネットワーク装置は、移動局からの接続要求を受信する受信ステップと、前記受信ステップにより受信された接続要求に基づいて、前記移動局に対して、無線アクセスネットワークシステムにより付与されるべき第２の識別子と、前記移動局により使用されることが許可された上り無線リソースを示す情報とを含む応答信号を作成する応答信号生成ステップと、前記応答信号生成ステップにより作成された応答信号を、前記接続要求を送信した移動局に送信する送信ステップとを有する。
【００１７】
このようにすることにより、任意の移動局からの接続要求信号を受信した無線アクセスネットワーク装置が、接続要求信号に格納された識別子で、移動局を識別することができ、無線アクセスネットワーク装置は、移動局の接続要求に対して、１回の応答信号で、上り無線リソース、および移動局固有の移動局識別子の付与が可能となる。
【発明の効果】
【００１８】
本発明の実施例によれば、アイドル状態にある移動局に対して、データ送受信までの遅延時間を短縮することができる移動局、無線アクセスネットワーク装置およびリソース要求方法を実現できる。
【発明を実施するための最良の形態】
【００１９】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２０】
本実施例にかかる移動通信システムについて、図２を参照して説明する。
【００２１】
本実施例にかかる移動通信システムは、移動局１００と、無線アクセスネットワーク装置２００とを備える。
【００２２】
移動局１００と無線アクセスネットワーク装置２００とは少なくとも共有データチャネル（Ｓｈａｒｅｄ  Ｄａｔａ  Ｃｈａｎｎｅｌ）により互いに無線通信を行うことができる。
【００２３】
本実施例においては、無線アクセスネットワーク装置２００が、無線基地局の機能を備え、直接移動局１００と無線通信を行う場合について説明する。無線アクセスネットワーク装置２００が、無線基地局の機能を備えず、無線アクセスネットワーク装置２００により制御される１以上の無線基地局を用意し、それらの無線基地局を介して、移動局１００と通信を行うようにしてもよい。
【００２４】
次に、本実施例にかかる移動局１００について、図３を参照して説明する。
【００２５】
移動局１００は、通信開始判断部１１０と、通信開始判断部１１０と接続された識別子選択部１２０と、識別子選択部１２０と接続された接続要求時使用識別子保持部１３０と、識別子選択部１２０と接続された接続要求信号生成部１４０と、接続要求信号生成部１４０と接続されたデータ送受信部１５０とを備える。
【００２６】
通信開始判断部１１０は、通信を開始する要求があるか否かを判断する。例えば、上り送信データの発生有無で通信開始要求を判断してもよいし、また、ページング信号の受信を基に通信開始要求を判断してもよい。通信開始判断部１１０は、通信を開始する要求があることを、識別子選択部１２０に通知する。
【００２７】
接続要求時使用識別子保持部１３０は、無線アクセスネットワーク装置２００から指定された識別子を保持する。
【００２８】
識別子選択部１２０は、通信開始判断部１１０からの通信を開始する要求に基づいて、接続要求時使用識別子保持部１３０を参照し、接続要求時使用識別子保持部１３０の中に保持された識別子の中から識別子の選択を行う。また、識別子選択部１２０は、選択された識別子を示す情報を接続要求信号生成部１４０に入力する。
【００２９】
接続要求信号生成部１４０は、識別子選択部１２０で選択された識別子が格納された接続要求信号の生成を行う。
【００３０】
ここで、接続要求信号生成部１４０では、送信パケットサイズを接続要求信号の一部として格納しても良い。この場合、図４に示すように、通信開始判断部１１０および接続要求信号生成部１４０と接続された送信パケットサイズ算出部１６０を備える。通信開始判断部１１０は、通信を開始する要求があることを、送信パケットサイズ算出部１６０に入力する。送信パケットサイズ算出部１６０は、送信要求するパケットのサイズを算出し、その結果を示す情報を接続要求信号生成部１４０に入力する。
【００３１】
データ送受信部１５０は、自移動局１００と無線アクセスネットワーク装置２００との間の信号の送受信を行う。
【００３２】
次に、本実施例にかかる無線アクセスネットワーク装置２００について、図５を参照して説明する。
【００３３】
無線アクセスネットワーク装置２００は、送信手段としてのデータ送受信部２１０と、データ送受信部２１０と接続された接続要求信号識別子検出部２２０と、接続要求信号識別子検出部２２０およびデータ送受信部２１０と接続された応答信号生成手段としての接続設定信号生成部２３０と、接続設定信号生成部２３０と接続された移動局識別子選択部２４０および上りリソース選択部２５０とを備える。
【００３４】
データ送受信部２１０は、移動局１００から送信された接続要求信号および他の上り信号を受信する。またデータ送受信部２１０は、移動局１００へ送信する接続設定信号および他の下り信号を送信する。
【００３５】
接続要求信号識別子検出部２２０は、移動局１００から送信された接続要求信号に格納された識別子を検出し、検出結果を接続設定信号生成部２３０に入力する。
【００３６】
移動局識別子選択部２４０は、移動局１００に対して無線アクセスネットワークシステムが割り当てる識別子の選択を行い、選択結果を接続設定信号生成部２３０に入力する。
【００３７】
上り無線リソース選択部２５０は、移動局１００が上り信号を送信する上り無線リソースの選択を行い、選択結果を接続設定信号生成部２３０に入力する。例えば、上り無線リソース選択部２５０は、無線リソースとして、時間、コード、周波数、チャンクなどのうち少なくとも１つを指定する。
【００３８】
接続設定信号生成部２３０は、移動局１００に対する接続設定信号の生成を行い、生成した接続設定信号をデータ送受信部２１０に入力する。例えば、接続設定信号生成部２３０は、接続設定信号に、移動局１００が使用する移動局識別子および上り無線リソースを示す情報を格納する。
【００３９】
例えば、図６に示すように、下りの物理チャネルが、パイロットチャネル（Ｐｉｌｏｔ  Ｃｈａｎｎｅｌ）、同期チャネル（Ｓｙｎｃｈｒｏｎｉｓａｔｉｏｎ  Ｃｈａｎｅｌ）、物理共有データチャネル（Ｐｈｙｓｉｃａｌ  Ｓｈａｒｅｄ  Ｄａｔａ  Ｃｈａｎｎｅｌ）、物理共有シグナリング制御チャネル（Ｐｈｙｓｉｃａｌ  Ｓｈａｒｅｄ  Ｓｉｇｎａｌｌｉｎｇ  Ｃｏｎｔｒｏｌ  Ｃｈａｎｎｅｌ）および報知チャネル（Ｂｒｏａｄｃａｓｔ  Ｃｈａｎｎｅｌ）で構成される場合、データ送受信部２１０は、移動局１００が使用する上り無線リソースを示す情報を、下り共有シグナリング制御チャネルで送信してもよい。
【００４０】
また、データ送受信部２１０は、移動局１００が使用する移動局識別子を、下り共有データチャネルで送信してもよい。
【００４１】
また、データ送受信部２１０は、図７に示すように移動局１００が使用する移動局識別子および上り無線リソースを示す情報を同一のパケットに格納し、同一の送信パケットとして送信してもよい。
【００４２】
また、送信パケットを複数の送信シンボルから構成し、それぞれのシンボルに移動局識別子および上り無線リソースに関する情報が割り当てられていてもよい。接続要求信号送信時に移動局１００が選択した識別子は、下り共有シグナリング制御チャネルで通知する。
【００４３】
本実施例にかかる無線アクセスネットワーク装置２００は、例えば、図８に示すように、無線制御装置２０１と無線基地局装置２０２とにより実現されてもよい。
【００４４】
本実施例では、無線アクセスネットワーク装置２００が無線制御装置２０１の機能および無線基地局２０２の機能を備えている場合について説明したが、無線制御装置２１０と、無線基地局２２０とが別々に用意されてもよいが、データ伝送に伴う遅延時間を短くする観点からは、同一装置内に用意することが望ましい。
【００４５】
次に、本発明の実施例にかかる移動通信システムにおけるアイドルモード状態にある移動局の接続要求シーケンスについて、図９を参照して説明する。
【００４６】
移動局１００が送信した接続要求信号は、無線アクセスネットワーク装置２００のデータ送受信部２１０において受信される。接続要求信号を受信した無線アクセスネットワーク装置２００は前記接続要求信号を送信した移動局１００に割り当てる識別子を移動局識別子選択部２４０で選択し、移動局１００に割り当てる上りリソースを上りリソース選択部２５０で選択する。無線アクセスネットワーク装置２００は前記選択した上りリソースと移動局識別子を接続設定信号中に格納し、接続設定信号を生成し、応答信号として無線アクセスネットワーク装置データ送受信部２１０から送信する。無線アクセスネットワーク装置２００が送信した接続設定信号は、移動局のデータ送受信部で受信される。
【００４７】
このように、移動局が無線アクセスネットワークシステムへの接続を要求する際、無線アクセスネットワーク装置が接続を許可すると同時に、当該移動局が使用することを許可した上り無線リソースを示す情報および移動局の識別子を割り当てることにより、移動局と移動通信システム間で交換されるメッセージ数を削減することができる。
【００４８】
本実施例によれば、アイドル状態にある移動局が要求した通信を開始するまでの遅延を短縮することができる。
【産業上の利用可能性】
【００４９】
本発明にかかる移動局、無線アクセスネットワーク装置およびリソース要求方法は、無線通信システムに適用できる。
【図面の簡単な説明】
【００５０】
【図１】ＩＭＴ２０００通信システムにおける接続要求シーケンス図である。
【図２】本発明の一実施例にかかる移動通信システムを示すブロック図である。
【図３】本発明の一実施例にかかる移動局を示すブロック図である。
【図４】本発明の一実施例にかかる移動局を示すブロック図である。
【図５】本発明の一実施例にかかる無線アクセスネットワーク装置を示すブロック図である。
【図６】本発明の一実施例にかかる下り物理チャネル構成図である。
【図７】本発明の一実施例にかかる下り送信パケットの構成図である。
【図８】本発明の一実施例にかかる無線アクセスネットワーク装置を示すブロック図である。
【図９】本発明の一実施例にかかるリソース要求シーケンス図である。
【符号の説明】
【００５１】
１００  移動局
２００  無線アクセスネットワーク装置
【図１】
0004786359.tif 000002
【図２】
0004786359.tif 000003
【図３】
0004786359.tif 000004
【図４】
0004786359.tif 000005
【図５】
0004786359.tif 000006
【図６】
0004786359.tif 000007
【図７】
0004786359.tif 000008
【図８】
0004786359.tif 000009
【図９】
0004786359.tif 000010